(57)【要約】【課題】塵芥投入箱内や塵芥収容箱内での火災時において、火炎による熱影響を受けにくいように油圧配管及び電気配線を配策することで、塵芥投入箱の開放を可能にして消火活動を迅速に行うことができる塵芥収集車を提供する。【解決手段】車枠１上に搭載された塵芥収容箱２の後端開口に塵芥投入箱３が連設され、一端が塵芥収容箱２に枢支されるとともに他端が塵芥投入箱３に枢支された油圧シリンダ５の伸縮動作により、塵芥投入箱３が傾動可能に構成された塵芥収集車において、塵芥収容箱２側から油圧シリンダ５に配策される油圧配管及び電気配線６が、塵芥収容箱２の底部から当該塵芥収容箱２の後端側縁に沿って上方に導かれ油圧シリンダ５の一端側に接続されている。【選択図】  図１
2005330073.tif 000002
【特許請求の範囲】
【請求項１】
車枠上に搭載された塵芥収容箱の後端開口に塵芥投入箱が連設され、一端が塵芥収容箱に枢支されるとともに他端が塵芥投入箱に枢支された油圧シリンダの伸縮動作により、塵芥投入箱が傾動可能に構成された塵芥収集車において、
前記塵芥収容箱側から油圧シリンダに配策される油圧配管及び電気配線が、塵芥収容箱の底部から当該塵芥収容箱の後端側縁に沿って上方に導かれ前記油圧シリンダの一端側に接続されたことを特徴とする塵芥収集車。
【発明の詳細な説明】
【技術分野】
【０００１】
本発明は、塵芥収集車、特に塵芥投入箱を傾動させるための伸縮シリンダに連結される油圧配管及び電気配線の配策に関する。
【背景技術】
【０００２】
従来、塵芥収集車は、車枠上に搭載された塵芥収容箱の後端開口に、図示しない塵芥積込装置を備えた塵芥投入箱が油圧シリンダの伸縮動作により上部の枢支部を中心に傾動可能に連設されている（例えば、特許文献１参照。）。
【０００３】
具体的には、図２に示すように、車枠１上に搭載された塵芥収容箱２の後端開口に、塵芥積込装置を備えた塵芥投入箱３が枢軸４を以て傾動可能に連設されている。これら塵芥収容箱２と塵芥投入箱３との間には、塵芥収容箱２に対して塵芥投入箱３を傾動させるための油圧シリンダ５が接続されている。
【０００４】
油圧シリンダ５は、シリンダ本体５１の基端が塵芥収容箱２の後端側部の上方寄りにブラケット２ａを介して枢支されるとともに、伸縮ロッド５２の先端が塵芥投入箱３の側面途中部にブラケット３ａを介して枢支されている。
【０００５】
そして、塵芥収容箱２側から油圧シリンダ５に亘っては、油圧配管及び電気配線６が以下のように配策されている。
【０００６】
これら油圧配管及び電気配線６は、塵芥収容箱２の上部から塵芥投入箱３の上部に亘って配設された後、当該塵芥投入箱３の側面に沿って下方に導かれて油圧シリンダ５の伸縮ロッド５２の先端部に接続されている。
【０００７】
従って、油圧ポンプにより油圧配管を介して圧油を油圧シリンダ５に供給して当該油圧シリンダ５を伸長させることで、塵芥投入箱３を上方に傾動させて開放するようにしている。
【０００８】
また、電気配線は、上記油圧配管を通じての圧油の給排を制御する電磁弁に接続されている。
【特許文献１】特開平１−１９７２０４号公報
【発明の開示】
【発明が解決しようとする課題】
【０００９】
しかしながら、上記従来のように油圧配管及び電気配線を配策したものでは、塵芥投入箱内や塵芥収容箱内で火災が発生した場合に、油圧配管及び電気配線が火炎による熱影響を受け易くこれによって損傷し易い。従って、これら油圧配管及び電気配線が損傷すると塵芥投入箱を開放させることができなくなるため、消火活動が迅速に行えないという問題があった。
【００１０】
本発明は、上記問題点に鑑みてなされたもので、その目的とするところは、塵芥投入箱内や塵芥収容箱内での火災時において、火炎による熱影響を受けにくいように油圧配管及び電気配線を配策することで、塵芥投入箱の開放を可能にして消火活動を迅速に行うことができる塵芥収集車を提供することにある。
【課題を解決するための手段】
【００１１】
上記の目的を達成するため、請求項１に係る発明の塵芥収集車は、車枠上に搭載された塵芥収容箱の後端開口に塵芥投入箱が連設され、一端が塵芥収容箱に枢支されるとともに他端が塵芥投入箱に枢支された油圧シリンダの伸縮動作により、塵芥投入箱が傾動可能に構成された塵芥収集車において、前記塵芥収容箱側から油圧シリンダに配策される油圧配管及び電気配線が、塵芥収容箱の底部から当該塵芥収容箱の後端側縁に沿って上方に導かれ前記油圧シリンダの一端側に接続されたものである。
【発明の効果】
【００１２】
本発明によれば、塵芥投入箱内や塵芥収容箱内で火災が発生した場合でも、油圧配管及び電気配線が火炎による熱影響を受けにくくなり、火災時の油圧配管及び電気配線の損傷を極力防ぐことができるので、塵芥投入箱を開放することによって消火活動を迅速に行うことができる。
【発明を実施するための最良の形態】
【００１３】
以下、本発明の実施の形態について図面を参照して説明する。
【００１４】
図１は、本発明に係る塵芥収集車を示している。なお、前述した塵芥収集車と同様な構成部材については同部材に同符号を付して説明は省略する。
【００１５】
この塵芥収集車は、油圧配管及び電気配線６の配策を特徴とするもので、具体的には、油圧配管及び電気配線６が、塵芥収容箱２の底部から当該塵芥収容箱２の後端側縁に沿って上方に導かれ、油圧シリンダ５の一端側となるシリンダ本体５１の基端部に接続されている。
【００１６】
そして、このように油圧配管及び電気配線６を油圧シリンダ５に接続することで、油圧ポンプにより油圧配管（６）を介して圧油を油圧シリンダ５に供給して当該油圧シリンダ５を伸長させ、これによって塵芥投入箱３を上方に傾動させて開放するようにしている。
【００１７】
なお、塵芥投入箱３は、通常は図１に示すように閉じており、この状態で塵芥投入箱３の後部に形成された投入部３１から投入した塵芥を内部に設けられた従来周知の塵芥積込装置によって塵芥収容箱２に積み込んでいく。
【００１８】
この際、塵芥収容箱２内に前後方向に摺動自在に配設された排出板（図示省略）が上記塵芥積込装置による塵芥の積込みにより順次前方に移動することによって、塵芥が塵芥収容箱２に圧縮されながら積込まれていく。
【００１９】
また、塵芥投入箱３を上述のように上方に傾動させて塵芥収容箱２の後面を開放した状態で排出板を前方から後方まで移動させることによって、塵芥収容箱２内の塵芥を外部に排出するようにしている。
【００２０】
ところで、前述したように油圧配管及び電気配線６を配策したことで、塵芥投入箱３内や塵芥収容箱２内で火災が発生した場合でも、油圧配管及び電気配線６が火炎による熱影響を受けにくくなる。従って、火災時の油圧配管及び電気配線６の損傷を極力防ぐことができ、これにより塵芥投入箱３の開放作動が可能な状態を維持できるので、塵芥投入箱３を開放することによって消火活動を迅速に行うことができる。
【００２１】
また、塵芥投入箱３側への油圧配管及び電気配線６の配策が不要になるため、構造を簡素化することができる。
【図面の簡単な説明】
【００２２】
【図１】本発明の塵芥収集車を示す側面図である。
【図２】従来の塵芥収集車を示す側面図である。
【符号の説明】
【００２３】
１  車枠
２  塵芥収容箱
３  塵芥投入箱
５  油圧シリンダ  
６  油圧配管及び電気配線
【図１】
2005330073.tif 000003
【図２】
2005330073.tif 000004